【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
発光素子と、
ゲート・ソース間電圧に応じた電流印加を上記発光素子に対して行うように構成された駆動トランジスタと、
上記駆動トランジスタの閾値電圧と入力された映像信号電圧とを含む電圧を保持し、上記駆動トランジスタのゲート・ソース間に印加するように構成された保持容量と、
を有する画素回路が、マトリクス状に配置されて成る画素アレイと、
上記画素アレイ上で列状に配設される各信号線に映像信号電圧を供給する信号セレクタと、
上記画素アレイ上で行状に配設される各電源制御線に電源パルスを与え、上記画素回路の上記駆動トランジスタへの駆動電流の供給を行う駆動制御スキャナと、
上記画素アレイ上で行状に配設される各書込制御線に走査パルスを与えて上記画素回路への上記映像信号電圧の入力を実行させる書込スキャナと、
を備え、
上記画素アレイにおける各画素回路は、その画素回路の行の書込制御線の走査パルスと、その画素回路の前の行の書込制御線の走査パルスによって、上記駆動トランジスタのゲート・ソース間電圧を該駆動トランジスタの閾値電圧とする閾値補正動作、及び該駆動トランジスタのゲート・ソース間への上記信号線からの映像信号電圧の入力動作が制御される表示装置。
【請求項２】
上記画素回路は、
上記信号線と上記保持容量の間に直列接続され、双方が導通されることで上記信号線に供給された映像信号電圧を上記保持容量に入力するとともに、一方がｎチャネル型、他方がｐチャネル型である第１，第２のサンプリングトランジスタと、
固定の基準電圧と上記保持容量の間に接続され、導通されることで上記基準電圧を上記保持容量に入力する、上記第１のサンプリングトランジスタと同チャネル型の基準電圧入力用トランジスタとを有し、
各画素回路の上記第１のサンプリングトランジスタは、その画素回路の行の書込制御線の走査パルスによって導通制御され、
各画素回路の上記第２のサンプリングトランジスタと、上記基準電圧入力用トランジスタは、その画素回路の前の行の書込制御線の走査パルスによって導通制御される請求項１に記載の表示装置。
【請求項３】
上記各画素回路では、
上記駆動制御スキャナが上記駆動トランジスタに上記駆動電流の供給を行うときに、
上記書込スキャナからの、その画素回路の前の行の書込制御線の走査パルスによって、上記第２のサンプリングトランジスタが非導通とされ、上記基準電圧入力用トランジスタが導通されることで、上記閾値補正動作が行われる請求項２に記載の表示装置。
【請求項４】
上記書込スキャナは、上記各画素回路において１発光サイクルの期間内に複数回の上記閾値補正動作が行われるように、各行の走査パルスを出力する請求項３に記載の表示装置。
【請求項５】
上記各画素回路では、
上記信号セレクタが、その画素回路に対する映像信号電圧を信号線に与えるときに、
上記書込スキャナからのその画素回路の行及び前の行の各書込制御線の走査パルスによって、上記第１、第２のサンプリングトランジスタが導通され、上記基準電圧入力用トランジスタが非導通されることで、上記映像信号電圧の入力動作が行われる請求項４に記載の表示装置。
【請求項６】
発光素子と、
ゲート・ソース間電圧に応じた電流印加を上記発光素子に対して行うように構成された駆動トランジスタと、
上記駆動トランジスタの閾値電圧と入力された映像信号電圧とを含む電圧を保持し、上記駆動トランジスタのゲート・ソース間に印加するように構成された保持容量と、
を有する画素回路が、マトリクス状に配置されて成る画素アレイと、
上記画素アレイ上で列状に配設される各信号線に映像信号電圧を供給する信号セレクタと、
上記画素アレイ上で行状に配設される各電源制御線に電源パルスを与え、上記画素回路の上記駆動トランジスタへの駆動電流の供給を行う駆動制御スキャナと、
上記画素アレイ上で行状に配設される各書込制御線に走査パルスを与えて上記画素回路への上記映像信号電圧の入力を実行させる書込スキャナと、
を備えた表示装置の表示駆動方法として、
上記画素アレイにおける各画素回路に対して、その画素回路の行の書込制御線の走査パルスと、その画素回路の前の行の書込制御線の走査パルスによって、上記駆動トランジスタのゲート・ソース間電圧を該駆動トランジスタの閾値電圧とする閾値補正動作を実行させ、
さらにその画素回路の行の書込制御線の走査パルスと、その画素回路の前の行の書込制御線の走査パルスによって、上記駆動トランジスタのゲート・ソース間への上記信号線からの映像信号電圧の入力動作を実行させる表示駆動方法。
【手続補正２】
【補正対象書類名】明細書
【補正対象項目名】０００５
【補正方法】変更
【補正の内容】
【０００５】
本発明の表示装置は、発光素子と、ゲート・ソース間電圧に応じた電流印加を上記発光素子に対して行うように構成された駆動トランジスタと、上記駆動トランジスタの閾値電圧と入力された映像信号電圧とを含む電圧を保持し、上記駆動トランジスタのゲート・ソース間に印加するように構成された保持容量と、を有する画素回路が、マトリクス状に配置されて成る画素アレイと、上記画素アレイ上で列状に配設される各信号線に映像信号電圧を供給する信号セレクタと、上記画素アレイ上で行状に配設される各電源制御線に電源パルスを与え、上記画素回路の上記駆動トランジスタへの駆動電流の供給を行う駆動制御スキャナと、上記画素アレイ上で行状に配設される各書込制御線に走査パルスを与えて上記画素回路への上記映像信号電圧の入力を実行させる書込スキャナとを備える。上記画素アレイにおける各画素回路は、その画素回路の行の書込制御線の走査パルスと、その画素回路の前の行の書込制御線の走査パルスによって、上記駆動トランジスタのゲート・ソース間電圧を該駆動トランジスタの閾値電圧とする閾値補正動作、及び該駆動トランジスタのゲート・ソース間への上記信号線からの映像信号電圧の入力動作が制御されるものとする。
【手続補正３】
【補正対象書類名】明細書
【補正対象項目名】０００６
【補正方法】変更
【補正の内容】
【０００６】
具体的には、上記画素回路は、上記信号線と上記保持容量の間に直列接続され、双方が導通されることで上記信号線に供給された映像信号電圧を上記保持容量に入力するとともに、一方がｎチャネル型、他方がｐチャネル型である第１，第２のサンプリングトランジスタと、固定の基準電圧と上記保持容量の間に接続され、導通されることで上記基準電圧を上記保持容量に入力する、上記第１のサンプリングトランジスタと同チャネル型の基準電圧入力用トランジスタとを有する。そして各画素回路の上記第１のサンプリングトランジスタは、その画素回路の行の書込制御線の走査パルスによって導通制御され、各画素回路の上記第２のサンプリングトランジスタと、上記基準電圧入力用トランジスタは、その画素回路の前の行の書込制御線の走査パルスによって導通制御される。
この場合に、上記各画素回路では、上記駆動制御スキャナが上記駆動トランジスタに駆動電流の供給を行うときに、上記書込スキャナからの、その画素回路の前の行の書込制御線の走査パルスによって、上記第２のサンプリングトランジスタが非導通とされ、上記基準電圧入力用トランジスタが導通されることで、上記閾値補正動作が行われる。
また上記書込スキャナは、上記各画素回路において１発光サイクルの期間内に複数回の上記閾値補正動作が行われるように、各行の走査パルスを出力する。
また上記各画素回路では、上記信号セレクタが、その画素回路に対する映像信号電圧を信号線に与えるときに、上記書込スキャナからのその画素回路の行及び前の行の各書込制御線の走査パルスによって、上記第１、第２のサンプリングトランジスタが導通され、上記基準電圧入力用トランジスタが非導通されることで、上記映像信号電圧の入力動作が行われる。